(57)【要約】湿った皮膚又は毛髪への美容トリートメントの使用せしめる化粧用品であって、更に美容トリートメントが適用される表面の十分な拭き取り性をもたらす化粧用品を実現する。【課題】良好な品質、良好な移行特性等の良好な性質を有するケラチン物質のためのケア及び／又はメークアップ及び／又はトリートメント組成物を提供する。【解決手段】化粧料組成物を含浸させた支持体を含む化粧用品であって、支持体が：ａ）一面が化粧品が適用される湿った表面に接触せしめられ、部分的に疎水性材料から形成された接触構造部とｂ）接触構造部と隣接せしめられ化粧用品が自重の少なくとも１０倍の水を吸収可能にする吸水性材料を含んでなる吸収構造部とを有し、接触構造部はｉ）湿った表面に存在する水に対して浸透性であり、ｉｉ）水吸収材に対するバリアを形成し、水で膨張した場合に、製品が適用される表面に接触するのを妨げるように構成されている化粧用品。【選択図】なし【特許請求の範囲】
【請求項１】
化粧料組成物を含浸させた支持体を含む化粧用品であって、該支持体が：
ａ）一面が、化粧品が適用される湿った表面に接触せしめられると共に、その面が少なくとも部分的に疎水性材料から形成された接触構造部と、
ｂ）上記接触構造部と隣接せしめられ、化粧用品が自重の少なくとも１０倍の水を吸収可能にする、少なくとも一の吸水性材料を含んでなる吸収構造部とを有し、
上記接触構造部は：
ｉ）上記湿った表面に存在する水に対して浸透性であり、かつ
ｉｉ）吸水性材料に対するバリアを形成し、特に、水で膨張した場合に、化粧用品が適用される表面に接触するのを妨げるように、
構成されている化粧用品。
【請求項２】
接触構造部が、少なくとも一部分は、少なくとも一の疎水性材料、特にポリエチレン、ポリプロピレン又はポリエチレンテレフタラート繊維から形成されていることを特徴とする、請求項１に記載の化粧用品。
【請求項３】
接触構造部が：
ｉ）１０ｇ／ｍ２〜１００ｇ／ｍ２、好ましくは１５ｇ／ｍ２〜６０ｇ／ｍ２の単位面積あたりの重量を有し、
ｉｉ）０．３ｍｍ〜１．５ｍｍ、好ましくは０．４ｍｍ〜０．６ｍｍの厚みを有する
ことを特徴とする、請求項１又は２に記載の化粧用品。
【請求項４】
前記接触構造部が、第１の面と該第１の面の反対側の第２の面を有し、第１の面から第２の面方向の接触構造部の透水性が、前記構造部の反対方向の透水性より大きく、吸収構造部は第２の面の側面に配置されることを特徴とする、請求項１ないし３のいずれか１項に記載の化粧用品。
【請求項５】
第１の面が、特にポリエチレン又はポリプロピレン製の、不織布から形成され、第２の面が、特にポリエチレン製の、微小有孔フィルムから形成されることを特徴とする請求項４に記載の化粧用品。
【請求項６】
特に毛管作用により、接触構造部を通過する水の吸収構造への分配を促進せしめる少なくとも一の層を有し、該層が接触構造部によって形成されるか、あるいは接触構造部と吸収構造部の間に位置する付加的な構造部によって形成されることを特徴とする、請求項１ないし５のいずれか１項に記載の化粧用品。
【請求項７】
上記層が、特にポリプロピレン又はポリエチレンテレフタラート製の、疎水性繊維状材料から形成されることを特徴とする、請求項６に記載の化粧用品。
【請求項８】
吸水性材料が、パウダー形態、特に架橋でんぷんグリコール酸ナトリウム、又はポリアクリル酸ナトリウムグラフト化でんぷん、又は架橋アクリル酸／アクリル酸ナトリウムコポリマーのパウダー形態であることを特徴とする、請求項１ないし７のいずれか１項に記載の化粧用品。
【請求項９】
パウダーが、少なくとも一の透水性層から形成された構造部の内部に配されることを特徴とする、請求項８に記載の化粧用品。
【請求項１０】
前記構造部が、単一層、又は前記パウダーを含有する少なくとも一のくぼみを二層間に有する二つの重ね合わせた層を有する不織布であることを特徴とする、請求項９に記載の化粧用品。
【請求項１１】
パウダーが繊維、特にセルロース繊維との混合物中に含まれることを特徴とする、請求項９又は１０に記載の化粧用品。
【請求項１２】
吸水性材料が、特にアクリラートコポリマー、カルボキシメチルセルロース又はアルギン酸塩製の、繊維の形態であることを特徴とする、請求項１ないし７のいずれか１項に記載の化粧用品。
【請求項１３】
化粧用品が自重の少なくとも１５倍の水、より好ましくは自重の少なくとも２０倍の水を吸収できるように、吸収構造部が構成されていることを特徴とする、請求項１ないし１２のいずれか１項に記載の化粧用品。
【請求項１４】
化粧料組成物が、皮膚、粘膜、毛髪又は頭皮の処理のためのものであることをことを特徴とする、請求項１ないし１３のいずれか１項に記載の化粧用品。
【請求項１５】
本質的に非水系であることを特徴とする、請求項１ないし１４のいずれか１項に記載の化粧用品。
【請求項１６】
化粧料組成物が、サンスクリーン、セルフタンニング剤、スリミング剤、保湿剤、加熱剤、毛髪もつれほぐし剤、皮膚又は毛髪のコンディショナー、角質溶解剤、美白剤、例えば脱色剤、又は染毛剤から選択される少なくとも一の薬剤を含有することを特徴とする、請求項１４又は１５に記載の化粧用品。
【請求項１７】
接触構造との反対側において、吸収構造部が、化粧用品を取り扱う手と接触せしめられる少なくとも一の層と隣接し、該層が、特にポリプロピレン、ビスコース又はポリエチレンテレフタラート製であることを特徴とする、請求項１ないし１６のいずれか１項に記載の化粧用品。
【請求項１８】
化粧料組成物による化粧用品の含浸が、噴霧、浸漬、散布、コーティング又は静電気的によって行われることを特徴とする、請求項１ないし１７のいずれか１項に記載の化粧用品。
【請求項１９】
手袋、ミトン、タオル又は拭き取り繊維、特に実質的に矩形のものの形態に構成されることを特徴とする、請求項１ないし１８のいずれか１項に記載の化粧用品。
【請求項２０】
皮膚、粘膜、毛髪又は頭皮の処理をするための美容方法において、
ａ）処理される表面を濡らし、
ｂ）請求項１ないし１９のいずれか１項に記載の化粧用品を用いて、前記表面を拭く
ことからなる方法。
【発明の詳細な説明】
【技術分野】
【０００１】
本発明は、皮膚、粘膜、毛髪又は頭皮を処理するための化粧用品に関する。また、本発明は本発明の化粧用品を使用する美容トリートメント方法にも関する。
【背景技術】
【０００２】
一般に、化粧用の拭き取り繊維は天然又は合成由来の材料製の素地からなり、好ましくは不織布であるが、発泡体又は織布であってもよく、該素地に、所望の目的、例えば、皮膚からの化粧品除去又はクレンジング、又はスキンケア等の用途に適した組成物を含浸させる。これらの拭き取り繊維は、使い捨てであり、かつ必要十分な量のクレンジング又は処理品を含浸するので、一般にその実用性を評価されている。これらの拭き取り繊維の使用は、ローションや乳液を含有する瓶の取り扱いや輸送の負担を回避するものである。
【０００３】
含浸拭き取り繊維はウェット又はドライでありうる。ドライ拭き取り繊維は使用前に湿らせなければならず、例えば、拭き取り繊維を湿らせた場合に泡を発生する発泡組成物、例えば特許文献１に記載されるようなものを含浸させてもよい。ウェット拭き取り繊維は、化粧品除去用ローション又は化粧品除去用乳液等を含浸させてもよく、例えば、直接顔や体に適用する。また、拭き取り繊維には、例えば、オイルと界面活性剤の混合物を含む非水系組成物を含浸させてもよく、次いで拭き取り繊維を顔や体に直接使用するか、又は、例えば特許文献２に記載されているように、皮膚への適用前にオイル／界面活性剤の混合物を乳化するように予め少量の水で湿らせる。
【０００４】
２００２年９月１９日にした仏国特許出願第０２／１１６０７号明細書において、出願人はり、特にふき取り繊維又は手袋(glove)形態であってもよく、入浴又はシャワーの後に濡れた皮膚に適用される化粧用品が例示した。
手袋を湿った皮膚に触れさせることにより、手袋中に含有されるオイルが乳化され、柔らかくクリーム状の保湿用ボディ乳液の形態で皮膚に付着する。
上記出願の一実施例によれば、高吸水性不織布からなる手袋であって、同時に皮膚を乾燥させる利点を有する。
【０００５】
上記出願に記載された実施例を実施する際の問題点は、その良好な吸水能にもかかわらず、一度湿らせたそのような化粧用品は、皮膚上で擦られることにより、高吸水性材料の粒子を皮膚上に放出する傾向があるという点である。これらの粒子は、水で膨張し(engorge)、１ｍｍ以上の直径を有する。それが該粒子の皮膚へ付着すると、不快な感覚を生じさせ、このことはかなり多くの使用者にとって受け入れ難いことと考えられる。
更に、該化粧用品が水で膨張した場合、皮膚への化粧用品の湿った接触によって、拭き取り性は不十分であると考えられる。
【特許文献１】米国特許第４３０３５４３号明細書
【特許文献２】米国特許第６１３６７７５号明細書
【発明の開示】
【発明が解決しようとする課題】
【０００６】
従って、本発明の目的の一つは、上述の問題点の全て又は幾分かを解決する化粧用品及び美容方法を実現することにある。
本発明の一目的は、特に、湿った皮膚又は毛髪への美容トリートメントの使用せしめる化粧用品であって、更に美容トリートメントが適用される表面の十分な拭き取り性をもたらす化粧用品を実現することである。
本発明の別の目的は、化粧用品と美容トリートメントが適用される表面、特に皮膚との間の接触の接触性を改良することにある。
他の目的は、以下明細書の詳細な説明において明らかになるであろう。
【課題を解決するための手段】
【０００７】
本発明において、これらの目的は、化粧組成物を含浸させる支持体を含み、該支持体が：
ａ）一面が、化粧品が適用される湿った表面に接触せしめられ、少なくとも部分的に疎水性材料から形成された、接触構造部と、
ｂ）上記接触構造部と隣接せしめられ、化粧用品が自重の少なくとも１０倍の水を吸収可能にする、少なくとも一の吸水性材料を含んでなる吸収構造部とを有し、
上記接触構造部は：
ｉ）湿った表面に存在する水を浸透させ、かつ
ｉｉ）吸水性材料に対するバリアを形成し、特に、水で膨らみ固くなった場合に、化粧用品が適用される表面に接触するのを妨げるように構成されている化粧用品を製造することによって達成される。
【発明を実施するための最良の形態】
【０００８】
高吸収力を有する化粧用品はこのように製造され、該化粧用品は良好な拭き取り性を付与し、同時に、皮膚と化粧用品が処理される表面の摩擦から生じる圧力の影響により吸収構造部から分離しうる高吸収性材料の粒子又は繊維間の接触がもたらす不快な感触に関する上述の問題点を解決するものである。
特に、接触構造部はバリアを形成し、吸収構造部から分離しうる水で膨張した(water-engorged)粒子や繊維から皮膚を保護する。
【０００９】
特に接触構造部の密度や厚さを変えることによって、これらの粒子や繊維のサイズや特性に応じた、高吸収性粒子又は繊維に対するバリア効果が得られる。
これらの性質は、吸水性粒子が接触構造部を通って皮膚と接触するのを防ぐために、浸透構造によって規定される間隔が、化粧用品使用中に放出されうる吸水性粒子のサイズと比較して十分に小さいものから選択される。
処理される表面と接触せしめられる面の全て又は一部分を形成する材料の疎水性に関する特性は、浸透性接触構造部の低親水性を伴い、皮膚と化粧用品の間の乾燥した接触感触を促進するものである。特に、接触構造部は、水を通過させる限りにおいて水浸透性であるが、水を殆ど又は全く保持しない、すなわち水を吸収しない。
【００１０】
一例として、接触構造部は、単位面積あたりの重量が１０ｇ／ｍ２〜１００ｇ／ｍ２、好ましくは１５ｇ／ｍ２〜６０ｇ／ｍ２である不織布からなる。接触構造部の厚さは０．３ｍｍ〜１．５ｍｍ、好ましくは０．４ｍｍ〜０．６ｍｍである。
化粧用品の吸収能は、ＥＤＡＮＡ規格１０．４−０２に従って測定される。
【００１１】
美容トリートメントが適用される湿った表面は、特に皮膚、粘膜、毛髪又は頭皮でありうる。
有利には、皮膚と接触せしめられることになる接触構造部の面は、少なくとも一部分が、少なくとも一の疎水性材料、特にポリエチレン、ポリプロピレン又はポリエチレンテレフタラートの繊維で形成され、それらは油剤塗布処理(size)のような処理を受けうる。
【００１２】
好ましくは、該面は、皮膚と触れて滑らかでありかつ柔らかいものである。
例えば、接触構造部は、梳綿織(carded)又は押し出し(「スパンレイド」）され、次いで熱接着された油剤塗布処理ポリプロピレン又はポリエチレンテレフタラートの不織布からなる。熱接着は、例えば、カレンダー加工によって、又は熱風で処理することによって(「空気媒介接着」)（air-through bonded)得られる。
【００１３】
このような接触構造体は、特に、デュノール(Dounor)社からＰＰＴＨ２３ＥＩＳ（２３ｇ／ｍ２）、ＰＰＴＨ２０ＥＩＳ（２０ｇ／ｍ２）及びＰＰＳＳ１５ＥＩＳ（１５ｇ／ｍ２）の表示で、ファイバーテックス(Fibertex)社からコンフォート・ホワイト・ハイドロフィリック(登録商標)(Comfort White Hydrophilic)（１０ｇ／ｍ２）の表示で、ファイバーウェブ(Fiberweb)社から１１１０１８ＨＩ（１８ｇ／ｍ２）の表示で、サンドラー(Sandler)社からサワブリーズ(登録商標)(Sawavlies)、３４／００／６１及び３４／００／５３／（それぞれ２０ｇ／ｍ２及び２２ｇ／ｍ２）の表示で、市販されている。
【００１４】
他の実施態様によれば、前記接触構造部が、第１の面と第１の面の反対側の第２の面を有し、第１の面から第２の面方向の接触構造部の透水性が、前記構造部の反対方向の透水性より大きく、吸収構造部は第２の面の側面に配置されている。
この特性は、吸収構造部から接触構造部への水の戻りを制限し、本発明による化粧用品によって引き出される乾燥した接触感覚を更に改良する。
【００１５】
第１の面は、特にポリエチレン又はポリプロピレン製の、水結合性不織布から形成され得るものであり、第２の面は、微少有孔(microperforated)フィルム、特にポリエチレン製のものから形成されうる。微少有孔ポリエチレンフィルムは、不織布上に熱接着又はスパンレイドされてもよい。このような材料は、特にＡＣＥＳＡ社(Rheinsche Kunstoff Werke AGグループの関連会社）から調達されうる。
更に、接触構造部を形成するために使用される材料は、化粧品の適用に一般に要求される柔らかい接触を確保するように選択される。
【００１６】
更に有利には、本発明による化粧用品は、特に毛管作用により、接触構造部を通過する水の吸収構造部への分配を促進せしめる少なくとも一の層を有し、該層が接触構造部によって形成されているか、あるいは接触構造部と吸収構造部の間に位置する付加的な構造部によって形成されている。
この特性は、拭き取り作用が湿った皮膚上の並進的動作を一般に伴う範囲において、美容トリートメントと処理される表面の拭き取りとを組み合わせるこの用途における特に最も有意な点である。このことは、化粧用品の背面部分と比べて、より豊富な量の水（湿った皮膚上の動作に比例して）と接触する化粧用品の前面部分をもたらすという結果を生じる。結果として、該吸収構造部の含浸は非常に不均等になる。該化粧用品の有効性は最適ではない。
【００１７】
分配層は、好ましくは、ポリプロピレン又はポリエチレンテレフタラートのような、疎水性材料の低密度の層であり、一般に梳綿織及び熱接着（空気媒介接着）によって得られた不織布である。この構造は、比較的軽やかな繊維が、化粧用品の表面全体に渡る毛管作用により水を運搬し、よって化粧用品の全表面上の水の良好な分配を確保するようにしたものである。従って、吸収構造部の水の含浸はより均一であることが見出される。
【００１８】
分配層として使用される材料として、「ドライウェブ(dry web)ＰＲＯＥＦ１２−０１２」（ポリプロピレン及びポリエチレンテレフタラートの二成分の繊維をベースとするもの、２５ｇ／ｍ２）、「ドライウェブＴ１５ＰＲＯＥＦ１５−０２９」（ポリプロピレン及びポリエチレンテレフタラートの二成分の繊維をベースとするもの、４０ｇ／ｍ２）が挙げられ、これらは全てリベルテックス(Libeltex)社から市販される。
【００１９】
単一構造、すなわち、接触繊維において、皮膚上の柔軟性と化粧用品使用中の水の分配速度と効率を組み合わせる手段として、二成分繊維が、柔軟性及び更に溶接性（特に、例えば手袋形態の構造を形成することを所望される場合）を促進するために好ましく、吸収構造部に対する水の迅速な通過を促進するために、粗デニール(coarsedenier)繊維が好ましい。良好な排水性を促進するために、少ない割合でビスコース繊維を更に添加してもよい。
【００２０】
一例として、吸水構造に含有される吸水性材料はパウダー形態であり、特に架橋でんぷんグリコール酸ナトリウム、又はポリアクリル酸ナトリウムによるグラフト化でんぷん、又は架橋アクリル酸／アクリル酸ナトリウムコポリマー、例えば、アヴェベ(Avebe)社から販売されるプリモゲル(Primogel)(登録商標)、又はＢＡＳＦ社から販売されるサンウェット(Sanwet)(登録商標)である。
【００２１】
パウダーは、少なくとも一の透水性層から形成されている構造部内に堆積されている。より具体的には、構造部は高吸水性のパウダーの存在下で縫製された繊維の単一層を有する不織布であってもよい。
より具体的には、高吸水性パウダーは、例えば、梳綿織、次いで水接着(hydro-bonding)又は縫製により連結されることによって、既に形成された不織布中に静電加工により組み込まれてもよい。
【００２２】
あるいは、不織布は、単一層、又は前記パウダーを含有する少なくとも一のくぼみを二層間に有する二つの重ね合わせた層をからなる。二つのシート間の単一のくぼみ又は吸収構造部の全表面に渡って分配された複数のくぼみであってもよい。
吸収構造部を製造するために使用されうる不織布として、特にジョージア・パシフィック(Gergia Pacific)社から、ドリテックス(Dritex)１２０ＮＮ４２及び１３０ＷＮＮＦ６０の表示で販売されるもの、及びＢＢＡ社から、ＨＹ０２０１０４０、ＨＹ０１０１０４６、ＨＹ０１０１１００又はＨＹ０３０１０３８の表示で販売される物が挙げられる。
【００２３】
パウダーは繊維、例えば、特に紙パルプから誘導されるセルロース繊維と混合されてもよい。繊維との混合物としてパウダーを有するこのような吸収構造部は、「綿毛」（高吸水性パウダーと最終的な接着処理のないセルロース繊維の混合物を含む材料）なる用語によりしばしば称される。この構造の結果、「綿毛」は強度に乏しく、一般に不織布の二層間に保持されている。このような製品は、特にジョージア・パシフィック社（米国）、テムベック  タータス(Tembec and Tartas)社（仏国）から販売される。
【００２４】
他の方法によれば、吸水性材料は繊維形態である。このような繊維は、梳綿織又は縫製接着(needle-bonded)されてもよい。特に：
ｉ）アクリラートコポリマー、例えばオアシス(Oasis)社から販売される 、２１３０（２００ｇ／ｍ２、梳綿織又は縫製された５０％高吸水性繊維／５０％ＰＥＴ繊維）、２１６０（１４５ｇ／ｍ２、梳綿織又は縫製された３０％高吸水性繊維／７０％ＰＥＴ繊維）又は２０９１（３０％高吸水性繊維／７０％パルプ及びエアレイド(airlaid)及び熱接着された二成分繊維）、又は
ｉｉ）カルボキシメチルセルロース又はアルギニン酸塩繊維、両者ともアコーディス(Acordis)社から販売されるもの
が挙げられる。
【００２５】
有利には、吸収構造部は、例えば、化粧用品が自重の少なくとも１５倍の水、更に好ましくは自重の２０倍の水を吸収できるように構成されている。一般的に、化粧用品は５０ｇ以上吸収することができるべきである。
本発明による化粧用品において使用される化粧料組成物は、皮膚、粘膜、毛髪又は頭皮の処理を対象としたものである。
好ましくは、化粧用品は非水系組成物である。「本質的に非水系組成物」なる用語は、「水を含有しない、又は１０％より少ない水、好ましくは５％より少ない水を含有する」ことを意味する。従って、化粧用品中の水分量は、化粧用品の全重量に対して０〜１０％、好ましくは０〜５％の範囲でありうる。
【００２６】
化粧料組成物は、サンスクリーン、セルフタンニング剤、スリミング剤、保湿剤、加熱剤、毛髪もつれほぐし剤、皮膚又は毛髪のコンディショナー、角質溶解剤、美白剤、例えば脱色剤、又は染毛剤から選択される少なくとも一の薬剤を含有しうる。化粧用品は毛髪又は体全体又は毛髪に使用することができ、局所療法として更に機能を果たしうる。
組成物は液体であってもよく、すなわち、一般に１５０ｍＰａ．ｓ．より小さい、好ましくは１００ｍＰａ．ｓ．より小さい粘度を有する。液体の粘度によるが、Ｎｏ．１又は２のスピンドルを用いて、レオマット(Rheomat)RM１８０装置を使用して室温（約２５℃）で測定した場合、この粘度は、好ましくは、１ｍＰａ．ｓ．〜１００ｍＰａ．ｓ．の範囲である。
【００２７】
化粧用品は、所望の目的に適した任意のサイズ及び形態であってよい。従って、例えば、拭き取り繊維又は小さいタオルの形態、特に実質的に角胴形の形態、手上を容易に滑らせるために手袋又はミトン形態、又は円形圧縮された形態であってもよい。一般に、０．００５ｍ２〜０．１ｍ２、好ましくは０．０１ｍ２〜０．０７ｍ２の面積を有する。
【００２８】
支持体上の組成物の含浸度合いは、一般に１０％〜１５００％、好ましくは５０％〜５００％、更に好ましくは７０％〜２５０％の範囲である。組成物を基材に含浸させる技術は当該分野において公知であり、全て本発明に適用可能である。一般に、含浸組成物は、浸漬、コーティング、蒸発、静電気的付着又は散布（特に吸収構造部を接触構造部に溶接する前）を含む一又は複数の技術によって素地に添加される。
【００２９】
接触構造部の反対側の吸収構造部は、化粧用品を取り扱う手と接触せしめられる少なくとも一の層を有していてもよく、該層は特にポリプロピレン、ビスコース又はポリエチレンテレフタラート製である。より具体的な例として、手と接触する層は梳綿織疎水性ポリエチレン繊維又は「スパンレイド」技術により均一層として堆積させた糸状体形態の不織布からなるものでもよい。この層として、乾燥した接触及び心地よい感触が一般に所望される。
【００３０】
更に、手と接触せしめられるこの構造部は、層が収集された全ての水を含有することができない場合に、吸収構造部を通って液体が拡散するのを止めることもできる。また、使用中に吸収構造部から如何なるパウダー又は繊維の損失をも防ぐため目的を果たすものでもありうる。
【００３１】
有意な製品は、デュノール社から市販される商品表示ＰＰＳＭＳ／１７／Ｅ／Ｏ／Ｓ及びＰＰＳＳ／１７／Ｅ／Ｏ／Ｓ（１７ｇ／ｍ２）、ファイバーテックス社から市販される商品表示コンフォート・ホワイト・ハイドロフィリック(Comfort White Hydrophilic)(登録商標)（１５ｇ／ｍ２）、ファイバーウェブ社から市販される商品表示ＤＩＭＳＥＹ０２０ＨＯＢ（２０ｇ／ｍ２）、及びサンドラー社から市販される商品表示サワボンド(Sawabond)（登録商標）４１１１（２２ｇ／ｍ２）が挙げられうる。
【００３２】
化粧用品をリバーシブル、すなわち、両面を使用することができるようにするために、吸収構造部のどちら側にも接触構造部を使用することが構想されうる。この選択は、化粧用品がタオル又は拭き取り繊維形態に構成された場合に、特に有意である。
【００３３】
本発明の別の態様によれば、皮膚、粘膜、毛髪又は頭皮の処理をするための美容方法は、
ａ）処理される表面を濡らし、
ｂ）本発明の化粧用品を用いて、上記表面を拭く
ことからなる。
【実施例】
【００３４】
ボディケア手袋の実施例
この実施例を遂行するために使用された組成物の詳細を以下に示す：
オイル
パルミチン酸エチルヘキシル                    ２５
パーリーム(Parlleam)油                         ２０
ジャコウバラ油                                  ５
界面活性剤
ＰＥＧ−２０グリセリルトリイソステアラート    １０
活性剤
グリセロール                                  ４０
【００３５】
この実施例における組成物は、以下の方法によって調整された：
最初に、オイルの混合物を調製し、次いでその中に、界面活性剤を室温又は高温（それらが液体又は固体形であるかどうかによる）で混合し、次いで得られた混合物中に、親水性ゲル化剤とアジュバントを混合した。
化粧用品への組成物の含浸度合いは２００％である。化粧用品を手袋形態に構成した。
手袋は、不織布から形成される二つの同一の多層構造部からなり、該構造は所望の形に切断され、及び外周を溶接、接着又は縫製される。
一使用において、シャワー又は入浴後、手袋を湿った皮膚上、ボディ全体上を通過させる。湿った皮膚と接触させることによって、手袋中に含有されるオイルを乳化され、柔らかくクリーム状の保湿用ボディ乳液の形態で皮膚に付着する。
【００３６】
毛髪用コンディショニングタオルの実施例
組成物は、セチルステアリルアルコールとＮ、Ｎ-ジステアロイルオキシエチル-Ｎ-メチル-Ｎ-ヒドロキシエチルアンモニウム  メトサルファート、２５／７５の混合物を含有する。
製品は、純粋なパウダーとしての形態で又は水中に予め希釈した形態で化粧用品全体に混合し、次いで化粧用品を、実質的に乾燥した手触りの状態にするために、全体的又は部分的に乾燥させる。
【００３７】
ボディ保湿タオルの実施例
組成物は以下を含有する：
グリセロール：計１００にする量
アロエベラ：０．０１％
メタノール：０．２％
ウィッチヘーゼル（水中に１％）の抽出物：１％
成分は室温で一緒に混合される。化粧用品への組成物の含浸の度合いは２００％である。化粧用品は小さなタオル又は手袋形態に構成される。
【００３８】
セルフタンニング手袋の実施例
この実施例において使用される組成物は以下を含有する：
３３％水溶液としてβ,β'-カンファースルホン酸[１,４-ジビニルベンゼン]：６％
水酸化ナトリウム：０．２８％
グリセロール：７０．７２％
水：５％
トリアルキルシトラート：８％
ジヒドロキシアセトン：１０％
調製方法は、前述の実施例の調整方法と同じである。
【００３９】
下記表に、拭き取り繊維又はタオルの場合の直接的化粧用品か、あるいは手袋の形態で構成される場合の化粧用品の少なくとも一の面を形成することができる層の種々の積み重ねを示す。
【表１】
2005047920.tif 000002
Ａ１−Ａ２は化粧用品の接触構造部を示す。
Ｂ２−Ｂ４は上述に挙げられた幾つかの実施態様に存在する分配層を示す。
Ｃ２−Ｃ４は吸収構造部を示す。
Ｄ１−Ｄ２は手で触れることを目的とする層である。
【００４０】
文字：Ａ１−Ａ２、Ｂ２−Ｂ４、Ｃ２−Ｃ４及びＤ１−Ｄ２のそれぞれに相当する市販上／工業上のリファレンスは以下に例証される。
Ａ１：デュノール社製ＰＰＴＨ２０ＥＩＳ（２０ｇ／ｍ２）
Ａ２：デュノール社製ＰＰＳＳ１５ＥＩＳ（１５ｇ／ｍ２）
Ｂ２：リベルテックス社製ドライウェブＴ１５ＰＲＯＥＦ１５-０２９"（４５ｇ／ｍ２）
Ｂ３：リベルテックス社製ドライウェブＰＲＯＥＦ１２-０１２"（２５ｇ／ｍ２）
Ｂ４：リベルテックス社製ドライウェブＴＲ２"（４０ｇ／ｍ２）
Ｃ２：オアシス社製２１６０（１４５ｇ／ｍ２）
Ｃ３：縫製(Needled)カルボキシメチルセルロース（９０ｇ／ｍ２）
Ｃ４：縫製アルギニン酸塩（１５０ｇ／ｍ２）
Ｄ１：デュノール社製ＰＰＳＭＳ／１７／Ｅ／Ｏ／Ｓ（１７ｇ／ｍ２）
Ｄ２：デュノール社製ＰＰＭＳ／１７／Ｅ／Ｏ／Ｓ（１７ｇ／ｍ２）